(57)【要約】      （修正有）【課題】石鹸がスリップしにくく且つ石鹸に水が付着しにくい石鹸パッドであって、板状の底板部を省略して水切り性を高め、表面積を小さくして汚れにくくし、構造を簡単化し、製作費を低減可能にした石鹸パッドを提供する。【解決手段】固形状の石鹸を載置する為の合成樹脂製の石鹸パッド１は、１又は複数の水平な連結ロッド２を有する本体フレーム４と、本体フレームの頂部に夫々設けられ且つ互いに離隔した複数の突起５とを備え、各突起の高さ寸法は１．０ｍｍ〜１０．０ｍｍの範囲に設定され、各突起の上端に石鹸の下面に当接可能な平らな受面５ａが形成され、石鹸のスリップを防止するために各受面５ａの外周部の少なくとも一部にエッジ部５ｂが形成された。【選択図】図２
2020120976.tif 000002
【特許請求の範囲】
【請求項１】
固形状の石鹸を載置する為の合成樹脂製の石鹸パッドにおいて、
１又は複数の水平な連結ロッドを有する本体フレームと、
前記本体フレームの頂部に夫々設けられ且つ互いに離隔した複数の突起とを備え、
各突起の高さ寸法は１．０ｍｍ〜１０．０ｍｍの範囲に設定され、各突起の上端に石鹸の下面に当接可能な平らな受面が形成され、石鹸のスリップを防止するために各受面の外周部の少なくとも一部にエッジ部が形成されたことを特徴とする石鹸パッド。
【請求項２】
前記本体フレームは、上方へ凸の凸曲面状の上端面を夫々備えた複数の支持体であって、各々が複数の連結ロッドを連結する複数の支持体を有し、前記各支持体の頂部に前記突起が形成されたことを特徴とする請求項１に記載の石鹸パッド。
【請求項３】
前記支持体は球体で構成され、前記連結ロッドは断面円形の部材で構成されたことを特徴とする請求項２に記載の石鹸パッド。
【請求項４】
前記突起の平面視の形状が細長い長方形に形成され、複数の突起のうちの全部又は一部の複数の突起は、平面視にて互いに異なる方向へ向くように配置されていることを特徴とする請求項１又は３に記載の石鹸パッド。
【請求項５】
前記支持体の総数は３であり、３つの支持体が平面視にて正三角形状に配置されていることを特徴とする請求項３に記載の石鹸パッド。
【請求項６】
前記支持体の総数は４であり、４つの支持体が平面視にて正方形状に配置されていることを特徴とする請求項３に記載の石鹸パッド。
【請求項７】
前記支持体の総数は４であり、３つの支持体が平面視にて正三角形状に配置され、１つの支持体が正三角形の重心位置に配置されていることを特徴とする請求項３に記載の石鹸パッド。
【請求項８】
前記支持体の総数は５であり、４つの支持体が平面視にて正方形状に配置され、１つの支持体が正方形の重心位置に配置されていることを特徴とする請求項３に記載の石鹸パッド。
【発明の詳細な説明】
【技術分野】
【０００１】
本発明は、固形状の石鹸を載置する為の合成樹脂製の石鹸パッドに関する。
【背景技術】
【０００２】
固形石鹸を載置する為の石鹸置き台(石鹸パッド)として、箱形のもの、トレイ状のもの等が一般に採用されているが、最近では底板部に複数の縦向きの針状部やロッド部を形成し、石鹸への水の付着を抑制し、水切り性を高めた石鹸置き台も種々提案されている。
【０００３】
例えば特許文献１の石鹸入れは、箱状の容器と、この容器の底板部に縦向きに形成された弾性素材による多数の針状弾性体を有する。
特許文献２の石鹸置き台は、少し柔軟性を有する材料で構成された台板(底板部)と、この台板に縦向きに一体形成した複数の小径ロッド状の突起を有する。
【０００４】
特許文献３の固形石鹸置き台は、平板状の本体（底板部）と、この本体に縦向きに一体形成した複数の小径ロッド状の突起と、本体の下面から突出する複数の本体受け部（脚部）を有する。
【先行技術文献】
【特許文献】
【０００５】
【特許文献１】実開昭４８−３７１４２号公報
【特許文献２】実開昭５５−８６５９６号公報
【特許文献３】登録実用新案台第３０２４８５４号公報
【発明の概要】
【発明が解決しようとする課題】
【０００６】
特許文献１の石鹸入れにおいては、弾性材料製の針状弾性体は、石鹸の下面に食い込みにくく、石鹸がスリップして移動しやすいため、箱状の容器が必要である。このように箱状の容器と多数の針状弾性体とで構成するため、石鹸入れの表面積が大きくなって汚れ易く、構造が複雑で、製作費が高価になる。
【０００７】
特許文献２の石鹸置き台においては、突起の頂部部分が半球状に形成されているため、石鹸がスリップしやすい。そのため突起の数を多くする必要があること、台板の上面に付着する水で石鹸が軟化しやすいこと、多数の突起を台板に形成するため台板を省略できず、石鹸置き台の表面積が大きくなって汚れ易く、構造が複雑で制作費が高価になること、等の問題がある。
【０００８】
特許文献３の石鹸置き台においては、突起の頂部に丸みがあるため石鹸がスリップしやすい。そのため突起の数を多くする必要があること、多数の突起を板状の本体に形成するため板状の本体を省略できず、石鹸置き台の表面積が大きくなって汚れ易く、構造が複雑で制作費が高価になること、等の問題がある。
【０００９】
本発明の目的は、石鹸がスリップしにくく且つ石鹸に水が付着しにくい石鹸パッドであって、板状の底板部を省略して水切り性を高め、表面積を小さくして汚れにくくし、構造を簡単化し、製作費を低減可能にした石鹸パッドを提供することである。
【課題を解決するための手段】
【００１０】
本発明の石鹸パッドは、固形状の石鹸を載置する為の合成樹脂製の石鹸パッドにおいて、
１又は複数の水平な連結ロッドを有する本体フレームと、前記本体フレームの頂部に夫々設けられ且つ互いに離隔した複数の突起とを備え、各突起の高さ寸法は１．０ｍｍ〜１０．０ｍｍの範囲に設定され、各突起の上端に石鹸の下面に当接可能な平らな受面が形成され、石鹸のスリップを防止するために各受面の外周部の少なくとも一部にエッジ部が形成されたことを特徴としている。尚、１又は複数の水平な連結ロッドを有する本体フレームは、骨組構造的なフレームを意味するものである。
【００１１】
上記の構成によれば、本体フレームに設けた複数の突起の受面で石鹸を支持するように構成したため、石鹸パッドの底板部に相当するものを省略でき、水切り性を高めることができ、石鹸パッドに付着した水で石鹸が軟化することがない。
また、仮に局部的に軟化した石鹸部分に突起が突き刺さっても本体フレームが石鹸に当接するため、深く突き刺さることがない。
【００１２】
各突起の高さ寸法は１．０ｍｍ〜１０．０ｍｍの範囲内に設定され且つ各突起の上端に石鹸の下面に当接可能な平らな受面が形成されているため、突起が本体フレームから大きく突出しないため石鹸パッドの外観の美観を損なうことがなく、突起が石鹸に突き刺さる深さを極力小さくし、誤って突起を指や手で押圧しても安全であり、突起も折損しにくくなる。
【００１３】
各突起の上端に石鹸の下面に当接可能な平らな受面が形成されているため、本体フレームから大きく突出しない複数の突起で石鹸を支持することができる。また、石鹸のスリップを防止するために各受面の外周部の少なくとも一部にエッジ部が形成されているため、突起に対して石鹸がスリップすることがない。それ故、突起の総数を例えば３〜６程度まで少なくすることも可能である。それ故、底板部に相当するものを省略可能であるため、石鹸パッドの表面積も小さくなって汚れにくくなり、構造を簡単化し、製作費を低減することができる。
【００１４】
ここで、本発明は上記の構成において次のような種々の形態をとり得る。
好ましい第１形態においては、前記本体フレームは、上方へ凸の凸曲面状の上端面を夫々備えた複数の支持体であって、隣り合う支持体が連結ロッドで連結される複数の支持体を有し、前記各支持体の頂部に前記突起が形成されている。
【００１５】
好ましい第２形態においては、前記支持体は球体で構成され、前記連結ロッドは断面円形の部材で構成されている。そのため、支持体及び連結ロッドの水切り性に優れ、外観の美観もよくなる。
【００１６】
好ましい第３形態においては、前記突起の平面視の形状が細長い長方形に形成され、複数の突起のうちの全部又は一部の複数の突起は、平面視にて互いに異なる方向へ向くように配置されている。それ故、石鹸のスリップを確実に防止することができる。
【００１７】
好ましい第４形態においては、前記支持体の総数は３であり、３つの支持体が平面視にて正三角形状に配置されている。それ故、最少数の支持体でもって石鹸を水平姿勢に保持することができ、石鹸パッドの製作費を低減できる。
好ましい第５形態においては、前記支持体の総数は４であり、４つの支持体が平面視にて正方形状に配置されている。
【００１８】
好ましい第６形態においては、前記支持体の総数は４であり、３つの支持体が平面視にて正三角形状に配置され、１つの支持体が正三角形の重心位置に配置されている。
好ましい第７形態においては、前記支持体の総数は５であり、４つの支持体が平面視にて正方形状に配置され、１つの支持体が正方形の重心位置に配置されている。
【発明の効果】
【００１９】
本発明によれば、前記のように種々の効果が得られる。
【図面の簡単な説明】
【００２０】
【図１】本発明の実施形態１に係る石鹸パッドの正面図である。
【図２】図１の石鹸パッドの平面図である。
【図３】突起の斜視図である。
【図４】変形例の突起の斜視図である。
【図５】実施形態２の石鹸パッドの平面図である。
【図６】実施形態３の石鹸パッドの平面図である。
【図７】実施形態４の石鹸パッドの平面図である。
【図８】実施形態５の石鹸パッドの平面図である。
【図９】実施形態６の石鹸パッドの平面図である。
【図１０】実施形態７の支持体の斜視図である。
【図１１】実施形態８の支持体の斜視図である。
【図１２】実施形態９の石鹸パッドの正面図である。
【図１３】図１２の石鹸パッドの平面図である。
【図１４】実施形態１０の石鹸パッドの正面図である。
【図１５】実施形態１０の石鹸パッドの平面図である。
【発明を実施するための形態】
【００２１】
本発明を実施するための形態について複数の実施形態に基づいて説明する。
【００２２】
［実施形態１］
図１、図２に示すように、石鹸パッド１は固形状の石鹸Ｓを載置する為の合成樹脂製の石鹸パッドである。この石鹸パッド１は、水平な複数の連結ロッド２と複数の支持体３とを有する本体フレーム４と、本体フレーム４の頂部(例えば、支持体３の頂部)に夫々設けられ且つ互いに離隔した複数の突起５を備えている。各連結ロッド２が隣接する支持体３を連結している。
【００２３】
各突起５の上端に石鹸の下面に当接可能な平らな受面５ａが形成され、複数の突起5の上端は共通の水平面に位置している。石鹸Ｓのスリップを防止するために各受面５ａの外周部の少なくとも一部にエッジ部５ｂが形成されている。尚、複数の連結ロッド２と複数の支持体３と複数の突起５とは、射出成形により一体的に成形されている。
【００２４】
この実施形態では、支持体３は例えば直径１０ｍｍの球体で構成され、支持体３の上端面は上方へ凸の半球面３ａ（凸曲面）に形成されている。但し、支持体３を球体に限らず、円柱体又は立方体又は直方体で構成してもよいが、支持体３の上端面は上方へ凸の凸曲面に形成することが望ましい。この実施形態では、連結ロッド２は球体（支持体３）の半径と等しい直径（例えば、５ｍｍ）の断面円形の部材で構成されている。しかも、支持体３の総数は３であり、連結ロッド２の総数も３であり、３つの支持体３が平面視にて正三角形状に配置されている。尚、支持体３の直径や連結ロッド２の断面の直径は上記の値に限定される訳ではなく、支持体３の総数及び連結ロッドの総数は３に限定されない。
【００２５】
図３に示すように、突起５の平面視の形状は細長い長方形に形成されている。３つの突起５は、平面視にて互いに異なる方向（上記の正三角形の重心に対して放射方向）へ向くように配置されている。石鹸パッド１の外観の美観を高め、突起５が石鹸Ｓに突き刺さる時の深さを極力小さくし、誤って指や手で突起５を押圧しても怪我しないように、突起の高さ寸法は１．０ｍｍ〜１０．０ｍｍの範囲内に設定される。尚、本実施形態における突起５は複数の高さ寸法を有するが、全ての高さ寸法が上記の範囲に設定されている。
但し、突起５の高さ寸法は、５ｍｍ以下にすることが望ましく、好ましくは３ｍｍ以下にすることが望ましく、本実施形態では最小高さ寸法が例えば２ｍｍに設定されている。
【００２６】
各突起５の上端に石鹸Ｓの下面に当接可能な平らな受面５ａが形成され、石鹸Ｓのスリップを防止するために各受面５ａの外周部の全周にエッジ部５ｂが形成されている。エッジ部５ｂは２つの面が直角に交差する角部で構成されている。但し、エッジ部５ｂは、各受面５ａの外周部の少なくとも一部に形成してもよい。
【００２７】
ここで、図４に示すように、突起５の代わりに突起５Ａを形成してもよく、この突起５Ａは下方へ移行する程板厚が厚くなるように形成されている。
【００２８】
この石鹸パッド１の作用、効果について説明する。
１又は複数の連結ロッド２と複数の支持体３を有する本体フレーム４と、この本体フレーム４の頂部に設けられ且つ互いに離隔した複数の突起５を備え、複数の突起５で石鹸Ｓを支持するように構成したため、石鹸パッド１の底板部に相当するものを省略でき、水切り性を高めることができ、石鹸パッド１に付着した水で石鹸が軟化することがない。
【００２９】
しかも、本体フレーム４を小型化して石鹸Ｓを本体フレーム４の外周から張り出す状態に載置すれば、石鹸Ｓを手で掴み易くなる。また、仮に局部的に軟化した石鹸部分に突起５が突き刺さっても本体フレーム４の支持体３が石鹸Ｓに当接するため、深く突き刺さることがない。
【００３０】
各突起５の高さ寸法は１．０ｍｍ〜１０．０ｍｍの範囲内に設定されるため、突起５が本体フレーム４から大きく突出しないため、石鹸パッド１の外観の美観を損なうことがなく、突起５が石鹸Ｓに突き刺さる時の深さが小さくなり、突起５，５Ａも折損しにくくなる。各突起５，５Ａの上端に石鹸Ｓの下面に当接可能な平らな受面５ａが形成されているため、複数の突起５，５Ａで石鹸Ｓの下面を受け止めて石鹸Ｓを水平姿勢に支持することができる。誤って指や手で突起５，５Ａを押圧しても、怪我することがなく、安全性に優れる。
【００３１】
しかも、各受面５ａの外周部の少なくとも一部にエッジ部５ｂが形成されているため、突起５，５Ａに対して石鹸Ｓがスリップすることがなく、それ故支持体３の総数を例えば３〜６程度まで少なくすることも可能である。特に、３つの突起５は平面視にて互いに異なる方向へ向くように配置されているため、石鹸Ｓのスリップを防止する上で一層有利である。
【００３２】
本実施形態の石鹸パッド１は、３つの連結ロッド２と３つの支持体３と３つの突起５，５Ａとを備えており、支持体３の総数を例えば３〜６程度まで少なくすることも可能であり、底板部に相当するものも省略可能であるため、石鹸パッド１の表面積が小さくなって汚れにくくなり、構造が簡単化し、製作費を著しく低減することができる。
【００３３】
以下、種々の実施形態について説明するが、実施形態１の構成要素と同一の要素に同じ符号を付して説明を省略し、主に異なる構成について説明する。
【００３４】
［実施形態２］
合成樹脂製の石鹸パッド１Ａは、図５に示すように、Ｙ形の水平な連結ロッド２Ａと３つの支持体３とからなる本体フレーム４Ａと、本体フレーム４Ａの頂部（３つの支持体３の頂部）に設けられた３つの突起５とを一体的に形成したものである。Ｙ形の連結ロッド２Ａの直線状部分は支持体３の直径の約１／２の直径の断面円形のロッドからなり、連結ロッド２Ａは隣接する支持体３を連結している。３つの支持体３は平面視にて正三角形状に配置され、各支持体３は球体で構成されている。尚、支持体３と突起５は実施形態１のものと同様のものである。
【００３５】
［実施形態３］
合成樹脂製の石鹸パッド１Ｂは、図６に示すように、３本の水平な連結ロッド２と４つの支持体３とからなる本体フレーム４Ｂと、この本体フレーム４Ｂの頂部（４つの支持体３の頂部）に設けられた４つの突起５とを一体的に形成したものである。３つの支持体３は平面視にて正三角形状に配置され、１つの支持体３は正三角形の重心位置に配置されている。隣接する支持体３は連結ロッド２で連結されている。尚、連結ロッド２と支持体３と突起５は実施形態１のものと同様のものである。
【００３６】
［実施形態４］
合成樹脂製の石鹸パッド１Ｃは、図７に実線で示すように、４つの水平な連結ロッド２と４つの支持体３とからなる本体フレーム４Ｃと、本体フレーム４Ｃの頂部（４つの支持体３の頂部）に設けられた４つの突起５とを一体的に形成したものである。４つの支持体３は平面視にて正方形状に配置され、４つの突起５は互いに異なる方向（上記の正方形の重心に対して放射方向）に向けられている。尚、連結ロッド２と支持体３と突起５は実施形態１のものと同様のものである。また、２点鎖線で示すように、１つの支持体３と２つの連結ロッド２を追加してもよい。尚、４つの支持体３を長方形状に配置してもよい。
【００３７】
［実施形態５］
合成樹脂製の石鹸パッド１Ｄは、図８に示すように、Ｘ状に配置した４つの水平な連結ロッド２と５つの支持体３とからなる本体フレーム４Ｄと、本体フレーム４Ｄの頂部（５つの支持体３の頂部）に設けられた５つの突起５とを一体的に形成したものである。
４つの支持体３は平面視にて正方形状に配置され、１つの支持体３は正方形の重心位置に配置され、４つの連結ロッド２は、中央の支持体３から放射状に延びて、隣接する支持体３を連結している。５つの突起５は平面視にて互いに異なる方向へ向けられている。尚、連結ロッド２と支持体３と突起５とは実施形態１のものと同様のものである。
【００３８】
［実施形態６］
合成樹脂製の石鹸パッド１Ｅは、図９に示すように、円弧状の水平な４つの連結ロッド２Ｅと４つの支持体３とからなる本体フレーム４Ｅと、本体フレーム４Ｅの頂部（４つの支持体３の頂部）に設けられた４つの突起５とを一体的に形成したものである。４つの支持体２と４つの連結ロッド２Ｅは、平面視にて円形に配置されている。４つの突起５は円の中心に対して放射方向へ向けられている。尚、支持体３と突起５は実施形態１のものと同様のものである。尚、２点鎖線で示すように、１つの支持体３と２つ又は４つの連結ロッド２を追加してもよい。
【００３９】
［実施形態７］
前記支持体３の代わりに採用される支持体３Ｆは、図１０に示すように、円柱体３ａの上端に半球３ｂを一体形成したものである。上端面は上方へ凸の凸曲面（半球面）に形成されているため、水切り性に優れる。この支持体３Ｆは、石鹸パッドが載置される載置面に載置される。
【００４０】
［実施形態７］
前記支持体３の代わりに採用される支持体３Ｇは、図１１に示すように、立方体３ｃの上端に部分球を一体形成し、上記部分球の側面を立方体３ｃの側面に揃えたものである。上端面は上方へ凸の凸曲面に形成されているため、水切り性に優れる。この支持体３Ｇは、石鹸パッドが載置される載置面に載置される。
【００４１】
［実施形態８］
合成樹脂製の石鹸パッド１Ｈは、図１２と図１３に示すように、正三角形状の連続した１つの水平な連結ロッド２Ｈからなる本体フレーム４Ｈと、この本体フレーム４Ｈの正三角形の頂点に対応する部位の頂部に設けられた３つの突起５と、正三角形の頂点に対応する部位の底部に突起５と上下対称に形成された３つの脚用突起６とを一体的に形成したものである。このように、石鹸パッド１Ｈは上下に対称の構造であるため、上下反転させた状態でも石鹸パッド１Ｈとして使用可能である。連結ロッド２Ｈの直線部分は実施形態１の連結ロッド２と同様のものであり、突起５も実施形態１の突起５と同様のものである。
【００４２】
［実施形態９］
合成樹脂製の石鹸パッド１Ｋは、図１４と図１５に示すように、円形の連続した１つの水平な連結ロッド２Ｋからなる本体フレーム４Ｋと、本体フレーム４Ｋの円周６等分位置
に設けられた６つの突起５Ｋと、円周６等分位置の底部に突起５Ｋと上下対称に形成された６つの脚用突起６Ｋとを一体的に形成したものである。
【００４３】
このように、石鹸パッド１Ｋは上下に対称の構造であるため、上下反転させた状態でも石鹸パッド１Ｋとして使用可能である。突起５Ｋは、高さ寸法が例えば３．０ｍｍ〜５．０ｍｍの小径の円柱体で形成されている。この突起５Ｋの上端の外周部には側面と上端面とが交差する角部からなるエッジ部５ｃが形成されている。尚、連結ロッド２Ｋは連結ロッド２と同様の直径の断面円形のものである。尚、上記の円形の連結ロッド２Ｋの代わりに楕円形の連結ロッドを採用してもよい。
【００４４】
次に、前記実施形態を変更する例について説明する。
１］本体フレームの平面視の形状は、骨組構造的な構造である限り任意の形状に形成することができ、正５角形や正６角形等の正多角形に形成してもよい。
２］支持体として、立方体、直方体、円柱体、角柱体等、或いはその他の種々の形状のものを採用可能であり、支持体の上端面は凸球面とするのが望ましいが平面でもよい。
【００４５】
３］突起として、立方体、直方体、円柱体、角柱体等、或いはその他の種々の形状のものを採用可能である。
４］その他、当業者ならば前記実施形態に種々の変更を付加した形態で実施可能であり、本発明はそのような変更形態をも包含するものである。
【符号の説明】
【００４６】
１，１Ａ〜１Ｄ，１Ｈ，１Ｋ    石鹸パッド
２，２Ａ，２Ｅ，２Ｈ，２Ｋ    連結ロッド
３，３Ｆ，３Ｇ    支持体
４，４Ａ〜４Ｅ，４Ｈ，４Ｋ    本体フレーム
５    突起
５ａ    受面
５ｂ，５ｃ    エッジ部
【図１】
2020120976.tif 000003
【図２】
2020120976.tif 000004
【図３】
2020120976.tif 000005
【図４】
2020120976.tif 000006
【図５】
2020120976.tif 000007
【図６】
2020120976.tif 000008
【図７】
2020120976.tif 000009
【図８】
2020120976.tif 000010
【図９】
2020120976.tif 000011
【図１０】
2020120976.tif 000012
【図１１】
2020120976.tif 000013
【図１２】
2020120976.tif 000014
【図１３】
2020120976.tif 000015
【図１４】
2020120976.tif 000016
【図１５】
2020120976.tif 000017